(57)【要約】      （修正有）【課題】数値の入力をより容易に行うことが可能な材料試験機を提供する。【解決手段】数値入力用画面には、小数点キーと０〜９までの数字キーと入力した数値のプラスマイナスの符号を変更する符号変更キーから成る数値入力キー５１、四則演算子に割り当てられた演算キー５２、計算結果を求めるイコールキー５３、数値入力キー５１等を使って入力した値が表示される入力欄５４、先に入力された数値や演算を消去して入力欄５４を空にするクリアキー５５、入力欄５４の数値を１文字ずつ消去するためのバックスペースキー５６、記憶部に記憶されたパラメータに割り当てられるパラメータボタン５７が配置される。ユーザは、画面上のパラメータボタン５７を選択することで、入力欄５４にパラメータの数値をワンタッチで入力することができる。【選択図】図７
2019148496.tif 000002
【特許請求の範囲】
【請求項１】
表示装置および入力装置を含むグラフィカルユーザインターフェースを備えた材料試験機であって、
前記表示装置への画面表示を制御する表示制御部と、
材料特性値を測定データから算出するための計算式を試験情報に対応づけて記憶する記憶部と、
前記記憶部から呼び出された前記計算式を利用して材料特性値を算出する演算部と、
を有する制御装置を備え、
前記表示制御部は、
数値表示欄が設けられた第１の入力インターフェースを前記表示装置に表示し、前記第１の入力インターフェースから前記数値表示欄に数値を入力する指示が受け付けられたときに、入力欄と、前記入力欄に入力する数値の入力操作を受ける数字キーと、四則演算子に対応する演算キーと、前記試験情報から選択された前記計算式に含まれるパラメータに対応付けたパラメータボタンと、前記入力欄の数値を前記第１の入力インターフェースにおける前記数値表示欄に反映する確定ボタンと、が配置された第２の入力インターフェースを前記表示装置に表示し、
前記演算部は、前記試験情報から選択された前記計算式に含まれるパラメータを、前記試験情報に基づいて演算し、
前記記憶部は、前記試験情報から選択された前記計算式に含まれるパラメータを前記パラメータボタンに対応付けて記憶することを特徴とする材料試験機。
【請求項２】
請求項１に記載の材料試験機において、
前記試験情報は、試験の種類、試験片の形状、および、試験の種類に応じた設定項目を含む材料試験機。
【請求項３】
請求項１または請求項２に記載の材料試験機において、
前記第１の入力インターフェースは、試験結果をグラフ表示するときの設定を行う設定画面であり、
前記表示制御部は、前記第２の入力インターフェースを、前記第１の入力インターフェースにおいてグラフの表示範囲を変更するための入力があったときに前記表示装置に表示される材料試験機。
【発明の詳細な説明】
【技術分野】
【０００１】
この発明は、試験片に対して試験力を付与して材料試験を行う材料試験機に関する。
【背景技術】
【０００２】
試験片に対して試験力を付与して材料試験を行う材料試験機においては、試験片の形状や材質に応じた材料試験が実行される。例えば、試験片に対して引張試験力を与える引張試験では、材料の力学的特性を知るために、材料の応力とひずみの関係を知ることが重要となる。なお、試験片の形状から求められる断面積と試験片に与えられる引張試験力とから応力が計算され、試験片の標点間距離と試験片に生じた変位からひずみが計算される。このため、材料試験機では、試験準備として、試験片サイズ、標点間距離等の情報を設定し、応力やひずみなどの一般的な材料特性値を測定データから算出する計算式を、試験片情報に対応させて記憶部に記憶させている。
【０００３】
特許文献１では、規格等で定められた計算式だけでなく、任意の計算式を定義可能な材料試験機が提案されている。
【先行技術文献】
【特許文献】
【０００４】
【特許文献１】特開平９−４３１２４号公報
【発明の概要】
【発明が解決しようとする課題】
【０００５】
材料試験では、材料試験特有のパラメータを使用して、実行する試験の最大試験力、最大変位量を計算し、それらの値を予め制御装置に入力しておく。例えば、引張試験の場合、試験片の断面積Ｓ０に目標応力を乗算することで、最大試験力を計算することができる。なお、断面積Ｓ０は、引張試験において応力に影響するパラメータであり、試験片の形状から計算することができる。
【０００６】
従来は、ユーザが試験片の寸法を予め制御装置に入力することで、試験中の応力計算等に必要な試験片の断面積Ｓ０を自動計算させ、応力や応力−ひずみ曲線をリアルタイムで表示装置に表示するために制御装置に記憶させている。断面積Ｓ０等のパラメータの値は、試験中のリアルタイム計算に利用される以外は、表示装置を利用したグラフィカルユーザインターフェース（ＧＵＩ）を介して、ユーザが他の計算に利用できる状況にはなかった。このため、ユーザは、試験実行前の最大試験力等を入力するに際しては、別途電卓を利用して最大試験力等の計算を行っていた。
【０００７】
この発明は上記課題を解決するためになされたものであり、数値の入力をより容易に行うことが可能な材料試験機を提供することを目的とする。
【課題を解決するための手段】
【０００８】
請求項１に記載の発明は、表示装置および入力装置を含むグラフィカルユーザインターフェースを備えた材料試験機であって、前記表示装置への画面表示を制御する表示制御部と、材料特性値を測定データから算出するための計算式を試験情報に対応づけて記憶する記憶部と、前記記憶部から呼び出された前記計算式を利用して材料特性値を算出する演算部と、を有する制御装置を備え、前記表示制御部は、数値表示欄が設けられた第１の入力インターフェースを前記表示装置に表示し、前記第１の入力インターフェースから前記数値表示欄に数値を入力する指示が受け付けられたときに、入力欄と、前記入力欄に入力する数値の入力操作を受ける数字キーと、四則演算子に対応する演算キーと、前記試験情報から選択された前記計算式に含まれるパラメータに対応付けたパラメータボタンと、前記入力欄の数値を前記第１の入力インターフェースにおける前記数値表示欄に反映する確定ボタンと、が配置された第２の入力インターフェースを前記表示装置に表示し、前記演算部は、前記試験情報から選択された前記計算式に含まれるパラメータを、前記試験情報に基づいて演算し、前記記憶部は、前記試験情報から選択された前記計算式に含まれるパラメータを前記パラメータボタンに対応付けて記憶することを特徴とする。
【０００９】
請求項２に記載の発明は、請求項１に記載の材料試験機において、前記試験情報は、試験の種類、試験片の形状、および、試験の種類に応じた設定項目を含む。
【００１０】
請求項３に記載の発明は、請求項１または請求項２に記載の材料試験機において、前記第１の入力インターフェースは、試験結果をグラフ表示するときの設定を行う設定画面であり、前記表示制御部は、前記第２の入力インターフェースを、前記第１の入力インターフェースにおいてグラフの表示範囲を変更するための入力があったときに前記表示装置に表示される。
【発明の効果】
【００１１】
請求項１から請求項３に記載の発明によれば、測定データから材料特性値を算出するための計算式を記憶部に記憶させていることから、試験情報から選択された計算式に含まれるパラメータを自動計算することができる。また、表示制御部は、数値表示欄が設けられた第１の入力インターフェースと、入力欄と、入力欄に入力する数値の入力操作を受ける数字キーと、四則演算子に対応する演算キーと、記憶部に記憶させておいた測定データから材料特性値を算出するための計算式のうち試験情報から選択された計算式に含まれるパラメータに対応付けたパラメータボタンと、入力欄の数値を前記第１の入力インターフェースにおける数値表示欄に反映する確定ボタンと、が配置された第２の入力インターフェースを表示装置に表示し、記憶部に、演算部が計算式に含まれるパラメータを試験情報に基づいて演算した結果を、パラメータボタンに対応付けて記憶させておき、第１の入力インターフェースから数値表示欄に数値を入力する指示が受け付けられたときにパラメータボタンを配置した第２の入力インターフェースが表示装置に表示されることから、ユーザは、パラメータボタンをタッチするだけで、各試験における特有パラメータを記憶部から呼び出すことができ、第２の入力インターフェースの入力欄にワンタッチでこの特有パラメータを入力することが可能となる。演算キーも第２の入力インターフェースに配置しているので、ユーザが別途、電卓を使用して材料特性値を計算する必要がなく、簡単な数値入力により材料特性値を材料試験機の演算機能を利用して求めることが可能となる。そして、計算により得られた材料特性値は、第２の入力インターフェースに配置した確定ボタンにより、第１の入力インターフェースにおける数値表示欄に反映することができ、ユーザは当該数値表示欄の数値の変更を容易に行うことが可能となる。
【００１２】
請求項３に記載の発明によれば、パラメータボタンに対応つけて記憶させた各試験における特有パラメータを利用して、表示装置への試験結果のグラフ表示の範囲設定が可能であることから、ユーザは、試験設定によって予想される材料特性値の最大値、最小値の計算をパラメータボタンの利用により容易に行うことができ、グラフ表示を容易に最適化することが可能となる。
【図面の簡単な説明】
【００１３】
【図１】この発明に係る材料試験機の正面概要図である。
【図２】この発明に係る材料試験機の主要な制御系を説明するブロック図である。
【図３】記憶部３３に記憶させる試験片形状と計算式を対応付ける表である。
【図４】試験片形状と図３の表中の計算式における変数を説明する図である。
【図５】パラメータの画面ボタンへの登録を説明するフローチャートである。
【図６】表示部１６に表示する画面の概要図である。
【図７】表示部１６に表示する画面の概要図である。
【発明を実施するための形態】
【００１４】
以下、この発明の実施の形態を図面に基づいて説明する。図１は、この発明に係る材料試験機の正面概要図である。図２は、この発明に係る材料試験機の主要な制御系を説明するブロック図である。
【００１５】
この材料試験機は、クロスヘッド１２と、基台１１と、この基台１１の左右に立設されたカバー１３とにより囲まれた材料試験機本体の試験空間に、試験片を配置して材料試験としての３点曲げ試験を実行するものである。試験片は、基台１１に配設された一対の支持部材２１によって支持されることにより、試験空間に配置される。
【００１６】
クロスヘッド１２の両端部には、基台１１の左右に立設されたカバー１３内に配置される一対のねじ棹と螺合する図示しないナット部が配設されている。そして、一対のねじ棹が基台１１内に配設されたモータ１９（図３参照）の駆動により同期して回転することで、クロスヘッド１２が上下方向に移動する。クロスヘッド１２には、圧子２２が配設されている。クロスヘッド１２を下降させて、支持部材２１に支持された試験片を圧子２２で押圧することにより、試験片に試験力が負荷される。
【００１７】
試験片に負荷される試験力は、クロスヘッド１２に配設された力検出器としてのロードセル１４により検出される。ロードセル１４からの信号は、制御装置１７に入力される。制御装置１７は、ロードセル１４からの信号に基づいて、クロスヘッド１２を昇降させるためのモータ１９の駆動制御信号を作成する。これにより、モータ１９の回転が制御されクロスヘッド１２が負荷軸に沿って移動し、曲げ試験等の各種材料試験が実行される。
【００１８】
制御装置１７は、表示部１６と、試験の開始や停止、クロスヘッド１２の昇降操作などを行うときに使用する操作部１５とに接続されている。そして、制御装置１７は、演算装置を含むコンピュータやシーケンサーおよびこれらの周辺回路によって構成されている。制御装置１７内のコンピュータやシーケンサーおよびこれらの周辺回路は、一対のねじ棹を同期して回転させるモータ１９の駆動を制御することにより試験機本体の負荷機構を制御する負荷制御部３２、後述する表示部１６への画面表示を制御する表示制御部３１、表示部１６に表示される画面上の機能ボタンに登録するパラメータ値や試験機本体の動作プログラムを記憶させる記憶部３３、の各機能を実現するように配置される。表示部１６は、タッチパネルを備えた液晶表示装置であり、入力装置および表示装置として機能する。
【００１９】
図３は、記憶部３３に記憶させる試験片形状と計算式を対応付ける表である。図４は、試験片形状と図３の表中の計算式における変数を説明する図である。図５は、パラメータの画面ボタンへの登録を説明するフローチャートである。
【００２０】
記憶部３３は、この材料試験機で実行可能な試験内容、引張試験、圧縮試験、曲げ試験等の試験種別、および、規格で定められた試験片の形状などの試験片情報を記憶している。この材料試験機では、試験特有のパラメータの計算式と、それらを利用して算出される材料特性値の計算式を、試験種別および試験片情報と対応付けて、記憶部３３に記憶させている。例えば、３点曲げ試験用として、図３の表に示すように、断面二次モーメントＩ、断面係数Ｚ、曲げモーメントＭ、応力σ、ひずみεの計算式を、試験片の形状（平板、丸棒）に対応付けて予め記憶させている。
【００２１】
ユーザが、試験種類に３点曲げ試験を選択（ステップＳ１１）し、試験片形状の選択（ステップＳ１２）で平板形状を選択したときには、変数入力（ステップＳ１３）では、ユーザは、幅Ｗ、厚みＴ（図４（ａ）参照）、および、支点間距離Ｌ（図４（ｃ）参照）の値を入力する（ステップＳ１３）。そうすると、図３に示す計算式に従って、３点曲げ試験特有のパラメータである断面二次モーメントＩおよび断面係数Ｚが自動計算される（ステップＳ１４）。また、試験片の形状として、丸棒形状を選択したときには、ユーザが直径Ｄ（図４（ｂ）参照）、および、支点間距離Ｌ（図４（ｃ）参照）の値を入力することにより、図３に示す計算式に従って、断面二次モーメントＩおよび断面係数Ｚが自動計算される。計算された断面二次モーメントＩ、断面係数Ｚは、それぞれ割り当てられた特定のパラメータボタン５７（後述する図７参照）に対応付けて記憶部３３に記憶される（ステップＳ１５）。なお、試験片形状の選択と幅Ｗ、厚みＴなどの数字の入力に代えて、規格により定められた試験片の番号（例えば、ＪＩＳ１号試験片）を選択することにより、試験片情報を入力するようにしてもよい。
【００２２】
図６および図７は、表示部１６に表示する画面の概要図である。図６は、応力を経時的に表示するグラフ表示の設定を行うための表示グラフ設定画面の表示例であり、図７は、図６に設けられた数値表示欄に数値を入力するための数字キーなどの操作要素が配置された数値入力用画面の表示例である。
【００２３】
この材料試験機の表示部１６に表示する画面として、試験条件の設定や試験結果の表示設定など、各設定に必要となる操作要素を配置してユーザの入力を受け付ける各種設定画面が用意されている。これらのレイアウトが定義された設定画面は、同一ウィンドウに設定項目ごとにタブを設けて表示内容を切り替える構造や、親ウィンドウにリンクされたモーダルウィンドウの表示などの階層構造を持ち、記憶部３３に格納されている。図６には、表示制御部３１の作用により記憶部３３から読み出した設定画面の一つである、グラフ表示の設定画面を示している。図６に示す画面は、この発明の第１の入力インターフェースである。
【００２４】
この表示グラフ設定には、グラフ表示領域４１が設けられ、グラフの横軸Ｘ、縦軸Ｙの項目設定や各軸の最大値・最小値設定を行う「表示項目」のタブと、グラフ表示領域４１の背景や線の色などを設定する「表示色」のタブが、同一ウィンドウに切り替え表示可能に用意されている。「表示項目」では、グラフの横軸Ｘ、縦軸Ｙの項目がプルダウンメニュー形式で選択可能となっている。図６の表示例では、横軸Ｘに時間、縦軸Ｙに応力が選択されている。また、図６の表示例では、グラフの横軸Ｘ、縦軸Ｙの最小値を表示する数値表示欄４２および最大値を表示する数値表示欄４３が各軸に対してそれぞれ設けられている。さらに、表示グラフ設定で変更した表示設定を反映する確定ボタン４８と、表示グラフ設定画面を閉じるキャンセルボタン４９が設けられている。
【００２５】
図７に示す数値入力用画面は、ユーザが第１の入力インターフェースの数値表示欄４２、４３をタッチして、当該数値表示欄４２、４３のいずれかに数値を入力する指示を与えたときに、表示部１６に表示される第２の入力インターフェースである。この実施形態では、図６の画面をＧＵＩ画面の一次ウィンドウ、図７に示す画面を二次ウィンドウとして定義し、一次ウィンドウでグラフ縦軸Ｙの最大値を入力する数値表示欄４３をユーザがタッチしたときに、二次ウィンドウを一次ウィンドウに重畳させて、あるいは、横方向または縦方向に並べて、表示部１６に表示する表示制御が実行される。
【００２６】
図７に示す数値入力用画面には、小数点キーと０〜９までの数字キーと入力した数値のプラスマイナスの符号を変更する符号変更キーから成る数値入力キー５１、四則演算子に割り当てられた演算キー５２、計算結果を求めるイコールキー５３、数値入力キー５１等を使って入力した値が表示される入力欄５４、先に入力された数値や演算を消去して入力欄５４を空にするクリアキー５５、入力欄５４の数値を１文字ずつ消去するためのバックスペースキー５６、入力欄５４の数値を図６のグラフ表示の数値表示欄４２、４３に反映するための確定ボタン５８、数値入力用の画面を閉じるためのキャンセルボタン５９が設けられる。そして、この数値入力用画面には、記憶部３３に記憶されたパラメータに割り当てられるパラメータボタン５７が配置される。
【００２７】
ユーザによる試験片情報などの入力を受けた自動計算の後に記憶部３３に記憶されたパラメータの数値は、試験中に応力σなどの経時変化を示すグラフを表示部１６に表示するためのリアルタイム計算に利用される。また、パラメータの数値は、図７に示す数値入力用の画面内に設けられた各パラメータボタン５７に対応付けて記憶部３３に記憶される（ステップＳ１５）。図６に示す表示グラフ設定では、グラフの縦軸Ｙ、横軸Ｘの表示範囲を変更するときに、ユーザが数値表示欄４２、４３のいずれか一つを選択して入力指示を与えたときに、図７に示す数値入力用画面が表示部１６に表示される。
【００２８】
パラメータボタン５７の枠内には、図７に示すように、パラメータボタン５７に登録されたパラメータの記号Ｉ、Ｚ等とともにステップＳ１４での計算結果である数値が表示される（ステップＳ１６）。このように、数値入力用画面にパラメータに割り当てられるパラメータボタン５７を設け、パラメータボタン５７に自動計算したパラメータを登録することで、ユーザは、表示部１６の画面上のパラメータボタン５７を選択することで、入力欄５４にパラメータの数値をワンタッチで入力することができる。
【００２９】
なお、上述した実施形態では、曲げ試験を行う場合のパラメータの表示を説明したが、引張試験の場合にも、試験片の断面積Ｓ０、応力σ、ひずみεの計算式を、試験片の形状（平板、丸棒）に対応付けて予め記憶部３３に記憶させている。したがって、ユーザが、図５に示すステップＳ１１で試験種別として引張試験を選択し、ステップＳ１２で試験片形状として、丸棒形状を選択したときには、ステップＳ１３では、試験片の直径、および、標点間距離をユーザが入力することにより、ステップＳ１４で引張試験特有のパラメータである試験片の断面積Ｓ０が自動計算される。そして、断面積Ｓ０がパラメータボタン５７に登録される。
【符号の説明】
【００３０】
１０      試験片
１１      基台
１２      クロスヘッド
１３      カバー
１４      ロードセル
１５      操作部
１６      表示部
１７      制御装置
１９      モータ
２１      支持部材
２２      圧子
３１      表示制御部
３２      負荷制御部
３３      記憶部
４１      グラフ表示領域
４２      数値表示欄
４３      数値表示欄
４８      確定ボタン
４９      キャンセルボタン
５１      数値入力キー
５２      演算キー
５３      イコールキー
５４      入力欄
５５      クリアキー
５６      バックスペースキー
５７      パラメータボタン
５８      確定ボタン
５９      キャンセルボタン
【図１】
2019148496.tif 000003
【図２】
2019148496.tif 000004
【図３】
2019148496.tif 000005
【図４】
2019148496.tif 000006
【図５】
2019148496.tif 000007
【図６】
2019148496.tif 000008
【図７】
2019148496.tif 000009